(57)【特許請求の範囲】
【請求項１】
厚紙により上下方向に長い角筒状に作られており、４枚の側板部１〜４と、この側板部１〜４の上端に連設された上蓋形成用フラップ５〜８と、同じく側板部１〜４の下端に連設された底蓋形成用フラップ９〜１２とから構成され、正面の側板部１の下端に連設された底蓋形成用フラップ９を切り外し可能とし、他の底蓋形成用フラップ９１０，１１，１２上に載って積み重ね状態で収納されている紙コップの最下部に位置する紙コップを正面の側板部１の下端より前方へ１枚づつ取り出すように構成し、左右の側板部４，２の下端は後端部から前端部に向かって後端部と前後方向中間部との間を約４５度の角度で下降傾斜させ、左右の側板部４，２の前後方向中間部と前端部との間を後端部と前後方向中間部との間の傾斜角度よりもやや鋭角で下降傾斜させてなることを特徴とする紙コップ収納用ホルダー。
【発明の詳細な説明】
【０００１】
【発明の属する技術分野】
本発明は、例えば電車などの乗り物内やオフィス内で設置されるボックス状の飲料水供給装置に並設され、飲料水供給装置から取り出される飲料水を入れる紙コップを多数枚まとめて収納できるようにした紙コップ収納用ホルダーに関するものである。
【０００２】
【従来の技術】
従来のこの種紙コップ収納用ホルダーは種々の型式のものが知られており、その殆どは金属製か、合成樹脂製であり、材料費を考えた場合、コストが高くなり、安価な紙コップ収納用ホルダーが望まれていた。
【０００３】
【発明が解決しようとする課題】
本発明はこのような課題を解決するもので、従来の金属製や合成樹脂製のものに比べて安価で、使い勝手の良い紙コップ収納用ホルダーを提供することを目的とするものである。
【０００４】
【課題を解決するための手段】
前記課題を解決するために本発明は、厚紙により上下方向に長い角筒状に作られており、４枚の側板部１〜４と、この側板部１〜４の上端に連設された上蓋形成用フラップ５〜８と、同じく側板部１〜４の下端に連設された底蓋形成用フラップ９〜１２とから構成され、正面の側板部１の下端に連設された底蓋形成用フラップ９を切り外し可能とし、他の底蓋形成用フラップ９１０，１１，１２上に載って積み重ね状態で収納されている紙コップの最下部に位置する紙コップを正面の側板部１の下端より前方へ１枚づつ取り出すように構成し、左右の側板部４，２の下端は後端部から前端部に向かって後端部と前後方向中間部との間を約４５度の角度で下降傾斜させ、左右の側板部４，２の前後方向中間部と前端部との間を後端部と前後方向中間部との間の傾斜角度よりもやや鋭角で下降傾斜させてなる紙コップ収納用ホルダーを要旨とするものである。
【０００５】
この構成により、全体が厚紙で作られており、しかも容易に組み立てできるので、従来の金属製や合成樹脂製のものに比べて安価で、使い勝手の良い紙コップ収納用ホルダーを提供することができる。また、左右の側板部４，２の下端は後端部から前端部に向かって後端部と前後方向中間部との間を約４５度の角度で下降傾斜させ、左右の側板部４，２の前後方向中間部と前端部との間を後端部と前後方向中間部との間の傾斜角度よりもやや鋭角で下降傾斜させているので、前記底蓋形成用フラップ10，12，11により受けられた積み重ね状態の紙コップ16の最下部に位置する紙コップ16は前半分の両側が左右の側板部４，２の下端内側に当たって横ずれが防止され、また紙コップ16の前端部は正面の側板部１の下端内側に当たって前方への抜け出しが防止される。また、ホルダー下端からの紙コップ16の取り出しに際し、最下部に位置する紙コップ16の上に紙コップ16が重なることなく、最下部に位置する紙コップ16から順番に１枚づつ取り出すことができるものである。
【０００６】
【発明の実施の形態】
以下、本発明の一実施の形態について、図面に基づいて説明する。
図１〜図８において、本実施の形態の紙コップ収納用ホルダーは厚紙により上下方向に長い角筒状に作られており、４枚の側板部１〜４と、この側板部１〜４の上端に連設された上蓋形成用フラップ５〜８と、同じく側板部１〜４の下端に連設された底蓋形成用フラップ９〜12とから構成されている。
【０００７】
さらに詳しくは、後側の側板部３には糊代13が連設され、この糊代13を左側の側板部４に糊付けして筒状に形成される。前記上蓋形成用フラップ５〜８の内、後側の側板部３の上端に連設された上蓋形成用フラップ７は、側板部３の上端に折曲線なしで面一状に連なる高さの低い板部７ａと、この板部７ａの上端に折曲線を介して連なり板部７ａの前面に重なる高さの低い板部７ｂと、この板部７ｂの下端に折曲線を介して連なり他の側板部１，２，４の上端に連設された上蓋形成用フラップ５，６，８と組み合わされて上蓋を形成する板部７ｃとからなっている。この板部７ｃは左右の側板部４，２の上端に連設された互いに重なる上蓋形成用フラップ８，６の上に重なるように正面の側板部１の上端に連設された上蓋形成用フラップ５の上に重なり、上蓋形成用フラップ５の先端の左右の爪片５ａ，５ａが係止孔７ｄ，７ｄに差し込まれるようになっており、これによって上蓋が形成される。次に、前記底蓋形成用フラップ９〜12の内、左右の側板部４，２の下端に連設された底蓋形成用フラップ12，10は、右側の底蓋形成用フラップ10の爪片10ａが左側の底蓋形成用フラップ12の係止孔12ａに差し込まれて互いに係合し、この２枚の底蓋形成用フラップ10，12の上側に後側の側板部３の下端に連設された底蓋形成用フラップ11が重なり、またこの底蓋形成用フラップ11の上側に正面の側板部１の下端に連設された底蓋形成用フラップ９が受けられるようになっており、これによって底蓋が形成される。なお、前記正面の側板部１の下端に連設された底蓋形成用フラップ９は正面の側板部１に対してミシン目状カット線により切り離し可能になっている。14は正面の側板部１の下端中央に形成された逆Ｕ字状のミシン目状カット線で、このミシン目状カット線14の下端に繋がるように正面の側板部１と底蓋形成用フラップ９との間にもミシン目状カット線15が形成されている。また、前記底蓋形成用フラップ10，12および底蓋形成用フラップ11は前記４枚の側板部１〜４で形成されるホルダーの下端の後側のほぼ半分を閉じ、これら底蓋形成用フラップ10，12，11により底蓋形成用フラップ９を受けることによりホルダーの下端全体を閉じ、ホルダー内部に扁平状態の紙コップ16が積み重ね状態で多数収納されるようになっている。さらに、前記左右の側板部４，２の下端は後端部から前端部に向かって後端部と前後方向中間部との間を約４５度の角度で下降傾斜させ、左右の側板部４，２の前後方向中間部と前端部との間を後端部と前後方向中間部との間の傾斜角度よりもやや鋭角で下降傾斜させている（図７参照）。これにより、前記底蓋形成用フラップ10，12，11により受けられた積み重ね状態の紙コップ16の最下部に位置する紙コップ16は前半分の両側が左右の側板部４，２の下端内側に当たって横ずれが防止され、また紙コップ16の前端部は正面の側板部１の下端内側に当たって前方への抜け出しが防止されるようになっている。また、ホルダー下端からの紙コップ16の取り出しに際し、最下部に位置する紙コップ16の上に紙コップ16が重なることなく、最下部に位置する紙コップ16から順番に１枚づつ取り出せるようになっている。17は前記互いに重なる板部７ａ，７ｂに形成された吊り下げ孔で、例えば壁面18に打ち付けられたフック19に差し込み、ホルダーが吊り下げられる。20は正面の側板部１の下端近傍に形成された開口部で、紙コップ16の残量を確認できるようになっている。
【０００８】
上記構成の紙コップ収納用ホルダーは飲料水供給装置が設置されている近くの例えば壁面18に吊り下げられて使用されるのであるが、その際、前記底蓋形成用フラップ９はミシン目状カット線14，15の部分で切り取られる。この底蓋形成用フラップ９の切り取りと同時に正面の側板部１の下端中央に開口部が形成される。そして、この開口部に指を添えて積み重ね状態の紙コップ16の最下部に位置する紙コップ16が１枚づつ取り出せることになる。図７にその状態を示している。ホルダーから取り出された紙コップ16には図８に示すように飲料水が入れられ、使用に供される。
【０００９】
ところで、後側の側板部３の下端に連設された底蓋形成用フラップ11を図１および図５二点鎖線で示すように前方に長く形成しておくことにより、収納状態の紙コップ16をより安定良く受けることができる。
【００１０】
【発明の効果】
以上のように本発明によれば、全体が厚紙で作られており、しかも容易に組み立てできるので、従来の金属製や合成樹脂製のものに比べて安価で、使い勝手の良い紙コップ収納用ホルダーを提供することができる。また、左右の側板部４，２の下端は後端部から前端部に向かって後端部と前後方向中間部との間を約４５度の角度で下降傾斜させ、左右の側板部４，２の前後方向中間部と前端部との間を後端部と前後方向中間部との間の傾斜角度よりもやや鋭角で下降傾斜させているので、前記底蓋形成用フラップ10，12，11により受けられた積み重ね状態の紙コップ16の最下部に位置する紙コップ16は前半分の両側が左右の側板部４，２の下端内側に当たって横ずれが防止され、また紙コップ16の前端部は正面の側板部１の下端内側に当たって前方への抜け出しが防止される。また、ホルダー下端からの紙コップ16の取り出しに際し、最下部に位置する紙コップ16の上に紙コップ16が重なることなく、最下部に位置する紙コップ16から順番に１枚づつ取り出すことができるものである。
【図面の簡単な説明】
【図１】本発明の一実施の形態における紙コップ収納用ホルダーの展開図である。
【図２】同紙コップ収納用ホルダーの組み立て途中の状態を示す上方から見た斜視図である。
【図３】同紙コップ収納用ホルダーの組み立て途中の状態を示す下方から見た斜視図である。
【図４】同紙コップ収納用ホルダーの組み立て完成状態を示す上方から見た斜視図である。
【図５】同紙コップ収納用ホルダーの組み立て完成状態を示す下方から見た斜視図である。
【図６】同紙コップ収納用ホルダーに紙コップを収納し壁面に吊り下げた状態を示す斜視図である。
【図７】同紙コップ収納用ホルダーから紙コップを取り出す状態を示す側面断面図である。
【図８】同紙コップ収納用ホルダーから取り出した紙コップに飲料水が入れられた状態を示す斜視図である。
【符号の説明】
１        側板部
２        側板部
３        側板部
４        側板部
５        上蓋形成用フラップ
５ａ      爪片
６        上蓋形成用フラップ
７        上蓋形成用フラップ
７ａ      板部
７ｂ      板部
７ｃ      板部
７ｄ      係止孔
８        上蓋形成用フラップ
９        底蓋形成用フラップ
１０        底蓋形成用フラップ
１０ａ      爪片
１１        底蓋形成用フラップ
１２        底蓋形成用フラップ
１２ａ      係止孔
１４        ミシン目状カット線
１５        ミシン目状カット線
１６        紙コップ
１７        吊り下げ孔
【図１】
0003657030.tif 000002
【図２】
0003657030.tif 000003
【図３】
0003657030.tif 000004
【図４】
0003657030.tif 000005
【図５】
0003657030.tif 000006
【図６】
0003657030.tif 000007
【図７】
0003657030.tif 000008
【図８】
0003657030.tif 000009